(57)【要約】【課題】会議における発表資料を参加者間で、セキュアに且つ簡単に共有することが可能なネットワークプロジェクタを提供する。【解決手段】制御部２２は、制御部２２を制御するＣＰＵ２２１と、ＣＰＵ２２１が実行するプログラムが格納されるＳＤＲＡＭ２２２と、発表資料を格納するためのもので、会議情報を示すディレクトリ構造で整理され、ディレクトリに対するアクセス制御情報も含んでいるストレージ２２３と、本発明を実現するためのプログラムが格納されているＲＯＭ２２４と、投影部２１へ、電源制御や生成された画像データを投影させる命令を送る投影制御部２２５と、入力装置で、投影部２１の電源操作、資料の選択・投影・ページ操作等の命令を受け付ける操作部２２６と、イーサネット（登録商標）２２７１とＩｒＤＡ２２７２を含んでいる通信インターフェース２２７と、を備えて構成されている。【選択図】図２
2011018209.tif 000002
【特許請求の範囲】
【請求項１】
ＰＣ端末とネットワーク又は無線により接続され、ファイル内容を投影して可視化する投影部と、全体の動作を制御する制御部と、を備えたネットワークプロジェクタであって、
前記制御部は、前記ファイルを格納するストレージを備え、任意のタイミングで投影するファイルを格納するためのディレクトリを生成するディレクトリ生成手段と、該ディレクトリ生成手段により生成されたディレクトリにアクセスするために必要なパスワードを前記ストレージ上に生成するパスワード生成手段と、該パスワード生成手段により生成されたパスワードを表示するパスワード表示手段と、を備えたことを特徴とするネットワークプロジェクタ。
【請求項２】
前記投影部の電源と前記制御部の電源を夫々独立に備え、且つ各電源を個別に制御可能としたことを特徴とする請求項１に記載のネットワークプロジェクタ。
【請求項３】
前記制御部は、前記投影部の電源が投入されることにより投影するファイルを格納するためのディレクトリを前記ストレージ内に生成することを特徴とする請求項１又は２に記載のネットワークプロジェクタ。
【請求項４】
前記制御部は、前記パスワード生成手段により生成されたパスワードを投影画面中に表示するように前記パスワード表示手段を制御することを特徴とする請求項１に記載のネットワークプロジェクタ。
【請求項５】
前記制御部は、生成したディレクトリに前記ＰＣ端末からアクセスがあった場合、該ＰＣ端末の端末情報を記憶することを特徴とする請求項１に記載のネットワークプロジェクタ。
【請求項６】
前記制御部は、記憶した前記端末情報に応じて、前記ディレクトリに対するアクセス制御方法を変更することを特徴とする請求項１又は５に記載のネットワークプロジェクタ。
【発明の詳細な説明】
【技術分野】
【０００１】
本発明は、ネットワークプロジェクタに関し、さらに詳しくは、会議に使用される発表資料を会議の参加者間で、セキュアに且つ簡単に共有するための技術に関するものである。
【背景技術】
【０００２】
発表者がＰＣ端末をプロジェクタに接続し、発表資料をスクリーンに投影しながらプレゼンテーションをする形式の会議中において、文字や図が見づらい、特定のページを見たい等の理由で、参加者が発表資料を手元のＰＣ端末で閲覧したい場合がある。これを可能にするために、発表者が予め共有ストレージやｗｅｂ上に発表資料をアップロードする手法は既に知られている。
しかし、会議によってはセキュリティ上、発表資料にアクセス可能なユーザを会議の参加者だけに限定したい場合がある。今までの手法では会議毎に共有ストレージ上に発表資料を保存するためのディレクトリを作成し、ディレクトリへのアクセス権限をユーザやグループ単位で設定する必要があるため、会議中に発表資料にアクセス可能なユーザを会議の参加者に限定しなければならず、作業が煩雑であるという問題があった。
また、会議における利便性を向上させるために特許文献１には、会議参加者の各々が会議資料をめぐって効率的かつセキュアに議論を交わすことが目的で、会議資料を参加者に提示する手段、会議参加者を認証する手段等が開示されている。
【発明の概要】
【発明が解決しようとする課題】
【０００３】
特許文献１に開示されている従来技術は、確かに発表資料を内蔵ストレージにアップロードして共有する点、参加者のみが資料にアクセスできるようにユーザ認証を行う点で本発明と類似している。しかし、この手法においては、会議ごとに事前に会議参加メンバーを登録する必要があり、発表資料に対するアクセス権の設定が煩雑という問題は解消できていない。
本発明は、かかる課題に鑑みてなされたものであり、プロジェクタがネットワークストレージを内蔵しており、会議開始のタイミングで投影資料を保存するためのディレクトリをストレージ内に生成し、また、生成されるディレクトリは会議毎にランダムなパスワードによってユーザからのアクセスが制御され、ディレクトリへのアクセスに必要なパスワードはプロジェクタの投影画面に表示されることによって、会議における発表資料を参加者間で、セキュアに且つ簡単に共有することが可能なネットワークプロジェクタを提供することを目的とする。
【課題を解決するための手段】
【０００４】
本発明はかかる課題を解決するために、請求項１は、ＰＣ端末とネットワーク又は無線により接続され、ファイル内容を投影して可視化する投影部と、全体の動作を制御する制御部とを備えたネットワークプロジェクタであって、前記制御部は、前記ファイルを格納するストレージを備え、任意のタイミングで投影するファイルを格納するためのディレクトリを生成するディレクトリ生成手段と、該ディレクトリ生成手段により生成されたディレクトリにアクセスするために必要なパスワードを前記ストレージ上に生成するパスワード生成手段と、該パスワード生成手段により生成されたパスワードを表示するパスワード表示手段と、を備えたことを特徴とする。
請求項２は、前記投影部の電源と前記制御部の電源を夫々独立に備え、且つ各電源を個別に制御可能としたことを特徴とする。
請求項３は、前記制御部は、前記投影部の電源が投入されることにより投影するファイルを格納するためのディレクトリを前記ストレージ内に生成することを特徴とする。
請求項４は、前記制御部は、前記パスワード生成手段により生成されたパスワードを投影画面中に表示するように前記パスワード表示手段を制御することを特徴とする。
請求項５は、前記制御部は、生成したディレクトリに前記ＰＣ端末からアクセスがあった場合、該ＰＣ端末の端末情報を記憶することを特徴とする。
請求項６は、前記制御部は、記憶した前記端末情報に応じて、前記ディレクトリに対するアクセス制御方法を変更することを特徴とする。
【発明の効果】
【０００５】
本発明によれば、ネットワークストレージを内蔵し、会議毎に投影資料を保存するためのディレクトリをストレージ内に生成し、生成されるディレクトリは会議毎にランダムなパスワードによってユーザからのアクセスが制御され、また、パスワードはプロジェクタの投影画面の端に表示され、会議の参加者のみがパスワードを知ることができるので、会議中において発表資料を参加者間で、セキュアかつ簡単に共有することができる。
【図面の簡単な説明】
【０００６】
【図１】本発明のネットワークプロジェクタの全体構成について説明する図である。
【図２】本発明のプロジェクタの内部構造について説明する図である。
【図３】プロジェクタ１０１の操作部の一例について説明する図である。
【図４】投影部２１の電源を入れた後の動作について説明するフローチャートである。
【図５】資料選択画面の一例について説明する図である。
【図６】画面遷移について説明する図である。
【図７】会議中におけるディレクトリへのアクセス制御方法について説明するフローチャートである。
【図８】会議のディレクトリが参加者のＰＣ端末情報を記憶する流れについて説明する図である。
【図９】会議終了後におけるディレクトリへのアクセス制御方法について説明するフローチャートである。
【図１０】発表資料を格納するディレクトリ構造の一例について説明する図である。
【発明を実施するための形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明のネットワークプロジェクタの全体構成について説明する図である。この構成では、本発明の機能が搭載されているプロジェクタ１０１と、会議参加者がプロジェクタ１０１に資料を投影するためや、投影された資料を共有するために使用するＰＣ端末１０２と、プロジェクタ１０１とＰＣ端末１０２を接続しているＬＡＮ１０３を備えて構成されている。尚、ＰＣ端末１０２の接続は無線ＬＡＮでも良い。
【０００８】
図２は、本発明のプロジェクタの内部構造について説明する図である。プロジェクタ１０１は、大きく分けて資料を投影する（ファイル内容を投影して可視化する）投影部２１と、制御全般を行う制御部２２で構成されている。投影部２１は、資料の投影以外には利用されないために会議中のみ電源を入れるのに対し、制御部２２は、会議中以外でも参加者が資料へアクセスできるために常に電源を入れ、ファイルサーバとして動作させる。また、制御部２２は、制御部２２を制御するＣＰＵ２２１と、ＣＰＵ２２１が実行するプログラムが格納されるＳＤＲＡＭ２２２と、発表資料を格納するためのもので、会議情報を示すディレクトリ構造で整理され、ディレクトリに対するアクセス制御情報も含んでいるストレージ２２３と、本発明を実現するためのプログラムが格納されているＲＯＭ２２４と、投影部２１へ、電源制御や生成された画像データを投影させる命令を送る投影制御部２２５と、入力装置で、投影部２１の電源操作、資料の選択・投影・ページ操作等の命令を受け付ける操作部２２６と、イーサネット（登録商標）２２７１とＩｒＤＡ２２７２を含んでいる通信インターフェース２２７と、を備えて構成されている。
尚、ＲＯＭ２２４には、例えば、パワーポイントやＰＤＦビューアー等があるストレージ中に格納された発表資料を表示するアプリケーションである資料表示アプリ２２４１と、ストレージ２２３中に格納された資料を参加者間で共有するための仕組みで、ｓａｍｂａ等があるＣＩＦＳ（Common Internet File System）２２４２を有する。
また、通信インターフェース２２７は、参加者がＰＣ端末から発表資料を保存または閲覧するためにアクセスするためのインターフェースであるイーサネット（登録商標）２２７１と、リモートからも操作部２２６と同様の操作を可能にするための、リモコン用のインターフェースであるＩｒＤＡ２２７２と、を有する。
【０００９】
図３は、プロジェクタ１０１の操作部の一例について説明する図である。図３（ａ）は、プロジェクタ本体３０１の上部を示す図である。操作部は投影部２１用の電源ボタン３０３、上下左右ボタン３０４、決定ボタン３０５、戻るボタン３０６で構成されており、資料の選択や画面の切り替え、資料のページ操作等に用いる。また、図３（ｂ）は、リモートからも同様の操作を可能にするためのリモコン３０２の上部を示す図である。
図４は、投影部２１の電源を入れた後の動作について説明するフローチャートである。ユーザが本体上部３０１や付属リモコン３０２の電源ボタンを押すと、投影部２１が起動する（Ｓ４０１）。プロジェクタ１０１はストレージ２２３に会議のディレクトリと、ディレクトリにアクセスするためのパスワードを生成する（Ｓ４０２）。投影部２１が起動してから数秒経過すると、プロジェクタ１０１は投影部２１を介して空の資料選択画面を投影し、投影画面左上にはＳ４０２で生成したディレクトリにアクセスするためのパスワードを表示する（Ｓ４０３）。
【００１０】
図５は、資料選択画面の一例について説明する図である。画面中央にはＳ４０２で生成されたディレクトリ中に保存されている資料のファイル名５０１がリスト表示される。投影部２１起動後に投影される画面（Ｓ４０３）においては、Ｓ４０２で生成されたディレクトリは空で資料リストは表示されないので、投影する資料をＳ４０２で生成されたディレクトリに保存する指示を画面上に表示させるのが望ましい。画面の左上には常に、４０２で生成されたディレクトリにアクセスするためのパスワード５０２が表示される。
図６は、画面遷移について説明する図である。ユーザが本体上部３０１や付属リモコン３０２より操作する。投影部２１の電源を入れると資料選択画面（図５）が投影される（Ｓ６０１）。資料選択画面から上下ボタン３０４で資料を選択し、決定ボタン３０５を押すと資料が全画面で表示されるプレゼンテーション画面が投影される（Ｓ６０２）。プレゼンテーション画面投影中に上下左右ボタン３０４を押すとページが遷移する（Ｓ６０３）。プレゼンテーション画面投影中に決定ボタン３０５を押すと資料選択画面が表示される（Ｓ６０４）。Ｓ６０４後に戻るボタン３０６を押すとプレゼンテーション画面に戻る（Ｓ６０５）。
【００１１】
図７は、会議中におけるディレクトリへのアクセス制御方法について説明するフローチャートである。ユーザのＰＣ端末１０２からネットワーク１０３経由で、Ｓ４０２で生成されたストレージ２２３上のディレクトリへアクセスがあった場合（Ｓ７０１でｙｅｓ）、プロジェクタ１０１はＰＣ端末１０２の画面上に、ユーザに対するパスワードの入力要求を表示する（Ｓ７０２）。ユーザからＰＣ端末１０２を介してパスワードが入力され（Ｓ７０３）、入力されたパスワードがＳ４０２で生成されたパスワードと一致した場合（Ｓ７０４でＹＥＳ）、プロジェクタ１０１はユーザに対してディレクトリへのアクセスを許可する（Ｓ７０５）。Ｓ７０３で入力されたパスワードがＳ４０２で生成されたパスワードと一致しない場合は（Ｓ７０４でＮＯ）、プロジェクタ１０１はＰＣ端末１０２の画面上にパスワードが正しくない旨を表示し（Ｓ７０６）、再びパスワードの入力を要求する（Ｓ７０２）。
図８は、会議のディレクトリが参加者のＰＣ端末情報を記憶する流れについて説明する図である。投影部２１の電源を入れる（Ｔ８０１）と、会議のディレクトリが生成される（Ｔ８０２）。発表者はネットワーク１０２経由でディレクトリにアクセスし、発表資料を保存する（Ｔ８０３）が、このとき発表者のＰＣ端末情報がＳＤＲＡＭ２２２に記憶される（Ｔ８０４）。参加者が資料を閲覧するためにネットワーク経由でディレクトリにアクセスするとき（Ｔ８０５）、同様に参加者のＰＣ端末情報が記憶される（Ｔ８０６）。会議が終了して投影部２１の電源を切る（Ｔ８０７）と、Ｔ８０４、Ｔ８０６で記憶したＰＣ端末情報がディレクトリのメタデータとしてストレージ２２３に保存され、会議の参加者と見なされる（Ｔ８０８）。
【００１２】
図９は、会議終了後におけるディレクトリへのアクセス制御方法について説明するフローチャートである。ユーザのＰＣ端末１０２からネットワーク１０３経由で、ストレージ２２３上の終了した会議のディレクトリへアクセスがあった場合（Ｓ９０１でＹＥＳ）、プロジェクタ１０１はＰＣ端末１０２が、Ｔ８０８でディレクトリに対して参加者として登録されているかどうかを識別する（Ｓ９０２）。登録されている場合（Ｓ９０２でＹＥＳ）、プロジェクタ１０１はユーザに対してディレクトリへのアクセスを許可する（Ｓ９０６）。登録されていない場合は（Ｓ９０２でＮＯ）、プロジェクタ１０１はＰＣ端末１０２の画面上に、ユーザに対するパスワードの入力要求を表示し（Ｓ９０３）、以降は図７のＳ７０２、Ｓ７０３、Ｓ７０４、及びＳ７０６と全く同じ制御フローである。
図１０は、発表資料を格納するディレクトリ構造の一例について説明する図である。Ｓ４０２で生成されるディレクトリは、会議の情報を含んだ階層構造で参加者が迷うことなく目的の資料にアクセスできることが望ましい。この例では会議の開催時間情報で階層化されており、ｒｏｏｔディレクトリの下が順に、年、月、週、日付−時間となっている。これはあくまで一つ例であり、より目的の資料を探しやすくする構造を考える必要がある。
【符号の説明】
【００１３】
２１  投影部、２２  制御部、１０１  プロジェクタ、１０２  ＰＣ端末、１０３  ＬＡＮ、２２１  ＣＰＵ、２２２  ＳＤＲＡＭ、２２３  ストレージ、２２４  ＲＯＭ、２２５  投影制御部、２２６  操作部、２２７  通信インターフェース、２２４１  資料表示アプリ、２２４２  ＣＩＦＳ、２２７１  イーサネット（登録商標）、２２７２  ＩｒＤＡ
【先行技術文献】
【特許文献】
【００１４】
【特許文献１】特開２００３−１４０８２９公報
【図１】
2011018209.tif 000003
【図２】
2011018209.tif 000004
【図３】
2011018209.tif 000005
【図４】
2011018209.tif 000006
【図５】
2011018209.tif 000007
【図６】
2011018209.tif 000008
【図７】
2011018209.tif 000009
【図８】
2011018209.tif 000010
【図９】
2011018209.tif 000011
【図１０】
2011018209.tif 000012